(57)【特許請求の範囲】
【請求項１】
流通口を有する枠状の戸当りと上記流通口を開閉する扉体とを備えた制水扉を既設の流路管に設置する設置方法であって、
（ａ）上記戸当りを複数の分割戸当り部材に分割可能に構成しておき、
（ｂ）上記流路管の途中に、この流路管が貫通するゲート室を形成し、
（ｃ）上記複数の分割戸当り部材のうち、少なくとも水没する部分の分割戸当り部材をゲート室内に設置し、
（ｄ）ゲート室内の流路管を切断して扉体の開閉経路上から除去し、
（ｅ）残りの上記分割戸当り部材をゲート室内に設置して戸当りを組立て、
（ｆ）扉体をゲート室内に搬入して戸当りに取り付けることを特徴とする制水扉の設置方法。
【請求項２】
（ｃ）の工程の代わりに、全ての分割戸当り部材をゲート室内に設置して戸当りを組立て、（ｅ）の工程を削除することを特徴とする請求項１記載の制水扉の設置方法。
【請求項３】
分割戸当り部材をゲート室内に設置するにあたって、分割固定部材をゲート室内に設置して、上記分割固定部材に着脱自在に取付けられた分割戸当り部材によって戸当りを組立てることを特徴とする請求項１又は請求項２記載の制水扉の設置方法。
【請求項４】
上記請求項１又は請求項２に記載の設置方法で設置されたことを特徴とする制水扉。
【請求項５】
流通口は戸当りの枠体に囲まれて形成され、
上記戸当りは枠体部分が２分割された分割戸当り部材からなり、
両分割戸当り部材を着脱自在に接合する接合手段が備えられていることを特徴とする請求項４記載の制水扉。
【発明の詳細な説明】
【技術分野】
【０００１】
本発明は、既設の流路管に制水扉を設置する場合の設置方法およびこの設置方法で設置された制水扉に関する。
【背景技術】
【０００２】
従来、流路管から下水処理施設へ供給される下水の供給量は、下水処理施設の流入部に設置されたゲートによって調節されている。しかしながら、ゲートが故障したり損傷した場合の対策として、上記既設の流路管の途中に制水扉を設置することが考えられている。
【０００３】
上記制水扉は、流通口を有する枠状の戸当りと、戸当りに沿って昇降して流通口を開閉する扉体と、この扉体を昇降させて開閉する開閉装置とで構成されている（下記特許文献１参照）。
【０００４】
通常、上記のような制水扉を既設の下水の流路管の途中に設置する場合、流路管を断水させ、設置箇所の水抜きを行った後に、制水扉を設置しており、制水扉の設置工事期間中は、工事対象である流路管から下水処理施設への下水の供給が途絶えるといった問題がある。
【０００５】
このような問題の解決策として、流路管内を流れる水（流体）を止めることなく制水扉を設置する不断水設置工法が考えられている（下記特許文献２参照）。
上記不断水設置工法としては、例えば、先ず、図２１の（ａ−１）（ａ−２）に示すように、設置箇所の地盤を掘削して流路管８１の一部を露出させ、次に、コンクリートを打設して、上部が開放されたゲート室８２を形成する。その後、上下一対のコの字形状の扉枠固定部材８３を、ゲート室８２内の流路管８１を挟むようにして対向させボルト，ナットで接合し、流路管８１の外周に固定し、コンクリート等で補強する。
【０００６】
その後、図２１の（ｂ−１）（ｂ−２）に示すように、ゲート室８２内の流路管８１を切断する。これにより、流路管８１内を流れる下水等の流体が、上流側からゲート室８２内に流れ込み、ゲート室８２を経て下流側へ流れ出るため、ゲート室８２内には下水が所定水位で流れ続けている。この状態で、図２１の（ｃ−１）（ｃ−２）に示すように、扉枠８４を扉枠固定部材８３にボルトで固定し、その後、制水扉８５を扉枠８４に取付けて、設置工事が完了する。
【特許文献１】特開平６−１８５６３６号
【特許文献２】特許第３６０４０４８号
【発明の開示】
【発明が解決しようとする課題】
【０００７】
しかしながら上記の従来形式では、ゲート室８２内の流路管８１を切断した後、扉枠８４を扉枠固定部材８３に固定しており、制水扉８５を扉枠８４に取付ける作業は、ゲート室８２内での潜水作業になる。このため、潜水作業を長時間にわたって強いられることになり、危険かつ熟練を要する作業が増え、作業効率が悪いといった問題や、潜水作業にかかるコストが高くつくため全体の工事費を低減することが困難であるといった問題がある。
【０００８】
本発明は、潜水作業の時間を大幅に減らして、作業効率を改善し、コストダウンを図ることが可能な制水扉の設置方法および制水扉を提供することを目的とする。
【課題を解決するための手段】
【０００９】
上記目的を達成するために、本第１発明における制水扉の設置方法は、流通口を有する枠状の戸当りと上記流通口を開閉する扉体とを備えた制水扉を既設の流路管に設置する設置方法であって、
（ａ）上記戸当りを複数の分割戸当り部材に分割可能に構成しておき、
（ｂ）上記流路管の途中に、この流路管が貫通するゲート室を形成し、
（ｃ）上記複数の分割戸当り部材のうち、少なくとも水没する部分の分割戸当り部材をゲート室内に設置し、
（ｄ）ゲート室内の流路管を切断して扉体の開閉経路上から除去し、
（ｅ）残りの上記分割戸当り部材をゲート室内に設置して戸当りを組立て、
（ｆ）扉体をゲート室内に搬入して戸当りに取り付けるものである。
【００１０】
これによると、ゲート室内の流路管を切断することにより、流路管内を流れている水（流体）が、切断箇所からゲート室内に流出し、ゲート室内を経て下流側の流路管へ流れる。上記流路管を切断するよりも前に、ゲート室内に水が流出していない状態で、少なくとも水没する部分の分割戸当り部材をゲート室内に設置しているため、分割戸当り部材を設置する際の潜水作業を無くすことができる。また、流路管内を流れる水を止めることなく制水扉を設置することができる。
【００１１】
本第２発明における制水扉の設置方法は、（ｃ）の工程の代わりに、全ての分割戸当り部材をゲート室内に設置して戸当りを組立て、（ｅ）の工程を削除するものである。
本第３発明における制水扉の設置方法は、分割戸当り部材をゲート室内に設置するにあたって、分割固定部材をゲート室内に設置して、上記分割固定部材に着脱自在に取付けられた分割戸当り部材によって戸当りを組立てるものである。
【００１２】
これによると、制水扉を設置した後、制水扉が古くなった等の理由で、新規の制水扉と取り替える場合、上記古い制水扉の各分割戸当り部材を分割固定部材から取り外してゲート室内から搬出する。これにより、分割固定部材をゲート室内に残したままで、古い制水扉を簡単にゲート室内から撤去することができる。その後、新規の制水扉の各分割戸当り部材をゲート室内に搬入して分割固定部材に取付ける。これにより、戸当りがゲート室内に据え付けられ、新規の扉体を戸当りに取付けることで、古くなった制水扉を新規の制水扉に容易に取り替えることができる。
【００１３】
本第４発明における制水扉は、第１発明又は第２発明に記載の設置方法で設置されたものである。
本第５発明における制水扉は、流通口は戸当りの枠体に囲まれて形成され、
上記戸当りは枠体部分が２分割された分割戸当り部材からなり、
両分割戸当り部材を着脱自在に接合する接合手段が備えられているものである。
【発明の効果】
【００１４】
以上のように本発明によると、流路管を切断するよりも前に、ゲート室内に水が流出していない状態で、少なくとも水没する部分の分割戸当り部材をゲート室内に設置しているため、分割戸当り部材を設置する際の潜水作業を無くすことができる。これにより、作業効率が改善され、コストダウンを図ることができる。また、流路管内を流れる水（流体）を止めることなく制水扉を設置することができるため、流路管の上流側から下流側への水の供給が途絶えることはない。
【発明を実施するための最良の形態】
【００１５】
（実施の形態１）
以下、本発明における第１の実施の形態を図１〜図１３に基いて説明する。
図１に示すように、１は下流側が下水処理施設等に接続される下水等の既設の流路管であり、コンクリート製の断面四角形の管からなり、地中に埋設されている。また、流路管１の途中には、底壁２ａと前後左右の側壁２ｂ〜２ｅと天井壁２ｆとで構成されるゲート室２が形成されている。尚、天井壁２ｆには、搬入出用の開口部３，４が形成されている。
【００１６】
ゲート室２内には制水扉１０が設置されており、以下のように構成されている。
図２に示すように、制水扉１０は、流通口１１を有する戸当り１２と、流通口１１を開閉する昇降自在な扉体１３と、扉体１３を昇降させる開閉装置１４とを有している。図３に示すように、戸当り１２は、四角枠状の枠体１５と、この枠体１５の上端左右両側部に立設された一対の縦フレーム体１６とで構成されており、枠体１５の部分で、凹形状の下部の分割戸当り部材１７（一方の分割戸当り部材の一例）とＨ形状の上部の分割戸当り部材１８（他方の分割戸当り部材の一例）とに２分割可能である。
【００１７】
さらに、上記上部の分割戸当り部材１８は、逆凹形状の上部フレーム体１９と、上記縦フレーム体１６とに分割可能である。また、上記流通口１１は枠体１５に囲まれて形成されている。
【００１８】
上記下部の分割戸当り部材１７と上部の分割戸当り部材１８とは第１の接合手段２１によって着脱自在に接合されている。第１の接合手段２１は、下部の分割戸当り部材１７の左右両上端部に設けられた一方のフランジ２２と、上部の分割戸当り部材１８の左右両下端部に設けられた他方のフランジ２３と、これら上下で対向するフランジ２２，２３同士を連結する複数のリーマボルト２４（締結部材の一例）およびナット２５（締結部材の一例）とで構成されている。上記各フランジ２２，２３にはそれぞれ、ボルト孔２６が複数個ずつ（図３（ｂ）では２個ずつ）形成されている。両フランジ２２，２３同士を接合し、各ボルト孔２６にリーマボルト２４を挿入してナット２５を締付けることにより、両フランジ２２，２３同士がリーマボルト２４とナット２５とで締結され、下部の分割戸当り部材１７と上部の分割戸当り部材１８とが連結される。
【００１９】
また、上記上部フレーム体１９と縦フレーム体１６とは第２の接合手段２９によって着脱自在に接合されている。尚、第２の接合手段２９は、上記第１の接合手段２１と同様に、フランジ３０，３１とリーマボルト２４とナット２５とで構成されている。
【００２０】
図２，図４に示すように、上記戸当り１２には、左右一対の案内板３２が複数のボルトによって着脱自在に取付けられている。これにより、戸当り１２と各案内板３２との間には、両縦フレーム体１６の上端部から枠体１５の下端部にわたる鉛直方向の案内溝３３が左右一対形成されている。尚、上記案内板３２は、下部の分割戸当り部材１７に取付けられる下部の分割案内板３２ａと、上部の分割戸当り部材１８に取付けられる上部の分割案内板３２ｂとに、上下２分割されている。
【００２１】
上記扉体１３は、左右一対の案内溝３３に上方から差し込まれており、両案内溝３３に案内されて、開閉経路２７上を昇降する。尚、流れ方向Ｆにおける戸当り１２と扉体１３との対向面には、互いに密接する止水板３４，３５が複数のねじ等で取付けられている。
【００２２】
このうち、一方の止水板３４は、下部の分割戸当り部材１７に取付けられる下部の分割止水板３４ａと、上部の分割戸当り部材１８に取付けられる上部の分割止水板３４ｂとに、上下２分割されている。
【００２３】
図１に示すように、上記開閉装置１４は、ゲート室２の天井壁２ｆ上に据え付けられる円筒状の開閉台３８と、開閉台３８上に設けられた減速機３９と、扉体１３の上端部と減速機３９との間に設けられた昇降用のスピンドル４０と、減速機３９に設けられた昇降用の操作ハンドル４１とで構成されている。上記スピンドル４０は、開閉台３８内に挿通され、ゲート室２の開口部４を貫通している。
【００２４】
図３に示すように、上記戸当り１２には、据付用のボルト孔４３が複数形成されている。図４に示すように、ゲート室２の後側壁２ｃには複数の基礎ボルト４４が植設されており、これら基礎ボルト４４を各ボルト孔４３に挿通して前後一対のナット４５，４６を締付けることにより、戸当り１２が後側壁２ｃに据付けられる。尚、戸当り１２と後側壁２ｃとの間にはコンクリート４７が打設されている。
【００２５】
上記戸当り１２の下端部には、扉体１３の下降を全閉位置Ｓで規制する下限ストッパー（図示せず）が設けられている。また、戸当り１２の上端部には、扉体１３の上昇を全開位置Ｏで規制する上限ストッパー（図示せず）が設けられている。尚、上記開口部４は制水扉１０の真上に位置している。
【００２６】
次に、上記のような構成の制水扉１０を地中に埋設されている既設の流路管１の途中に新規に設置する方法を説明する。
（１）
先ず、図５に示すように、制水扉１０の設置場所を掘削して流路管１を露出させる。
（２）
次に、図６に示すように、コンクリートを打設してゲート室２を形成する。この際、複数の基礎ボルト４４をゲート室２の後側壁２ｃに植設する。
（３）
次に、図７に示すように、予め下部の分割案内板３２ａと下部の分割止水板３４ａとを取付けた下部の分割戸当り部材１７を、開口部３からゲート室２内へ搬入し、受け材４９で支持して仮置きする。この際、ナット４５（図４参照）を螺合した基礎ボルト４４を下部の分割戸当り部材１７のボルト孔４３に挿通しておく。
（４）
次に、図８に示すように、予め上部の分割案内板３２ｂと上部の分割止水板３４ｂとを取付けた上部の分割戸当り部材１８を、開口部３からゲート室２内へ搬入する。そして、下部の分割戸当り部材１７の一方のフランジ２２と上部の分割戸当り部材１８の他方のフランジ２３とを接合し、各ボルト孔２６にリーマボルト２４を挿入してナット２５を締付けることにより（図３参照）、下部の分割戸当り部材１７と上部の分割戸当り部材１８とを連結して、戸当り１２を組立てる。これにより、流路管１が戸当り１２の流通口１１を貫通するとともに、戸当り１２に左右一対の案内溝３３が形成される。この際、ナット４５（図４参照）を螺合した基礎ボルト４４を上部の分割戸当り部材１８のボルト孔４３に挿通しておく。
【００２７】
尚、上記上部の分割戸当り部材１８をゲート室２内へ搬入する前に、工場等において、第２の接合手段２９により上部フレーム体１９と縦フレーム体１６とを連結して、上部の分割戸当り部材１８を組立てておく。
（５）
次に、各基礎ボルト４４にナット４６を螺合して、両ナット４５，４６の締め具合等を調節し、戸当り１２の垂直度や微小な位置等を調整する。その後、図９に示すように、コンクリート４７を戸当り１２と後側壁２ｃとの間に打設する。これにより、戸当り１２が後側壁２ｃに据え付けられ、その後、上記受け材４９を開口部３からゲート室２の外部へ搬出する。
（６）
次に、図１０に示すように、予め他方の止水板３５を取付けた扉体１３を、開口部４からゲート室２内に搬入し、戸当り１２の左右一対の案内溝３３内へ差し込む。これにより、扉体１３が戸当り１２に取付けられる。
（７）
次に、図１１に示すように、ゲート室２の天井壁２ｆに開閉台３８を据付け、スピンドル４０を開口部４からゲート室２内へ挿入し、スピンドル４０の下端を扉体１３の上端部に連結し、開閉装置１４を設置する。そして、操作ハンドル４１を操作して、扉体１３を全開位置Ｏまで上昇させておく。
（８）
次に、図１２，図１３に示すように、切断装置５０を用いて、ゲート室２内の流路管１を２箇所において切断し、切断した短管部１ａを開口部３からゲート室２の外部へ搬出する。これにより、流路管１内の下水Ｗがゲート室２内に流出し、戸当り１２の下部の分割戸当り部材１７が水没するとともに、上部の分割戸当り部材１８の下端部が水没する。この際、扉体１３は全開位置Ｏまで上昇しているため、上流側の流路管１からゲート室２内に流出した下水Ｗは、ゲート室２内から下流側の流路管１へ流れる。
（９）
その後、下限ストッパーを調整して、扉体１３の全閉位置Ｓを調整し、上限ストッパーを調整して、扉体１３の全開位置Ｏを調整する。この際、下限ストッパーは水没しているため、下限ストッパーの調整は潜水作業となる。
【００２８】
尚、上記（８）の工程において用いる切断装置５０の構成を説明する。
図１３に示すように、切断装置５０は、無端状のワイヤーソー５１と、このワイヤーソー５１を高速で回転走行させる走行駆動装置５２と、ワイヤーソー５１をガイドする複数のプーリー５３とで構成されている。上記ワイヤーソー５１は、ワイヤーロープに切削用ダイヤモンド砥粒等を組み込んだものである。
【００２９】
以下に、上記（８）の工程において、上記切断装置５０を用いて流路管１を切断する方法を説明する。
ゲート室２の天井壁２ｆに走行駆動装置５２を設置し、ワイヤーソー５１を開口部３からゲート室２内へ導入して流路管１の一方の切断箇所Ａに巻きつける。尚、一方の切断箇所Ａは、流れ方向Ｆにおける扉体１３と後側壁２ｃとの間に設定されている。上記プーリー５３は、流路管１の上面に前後一対且つ左右一対ずつ取付けられており、ワイヤーソー５１を走行駆動装置５２から一方の切断箇所Ａへ案内している。
【００３０】
走行駆動装置５２を駆動してワイヤーソー５１を高速で回転走行させることにより、一方の切断箇所Ａにおいて、流路管１が外側から切断される。その後、同様にして、ワイヤーソー５１を流路管１の他方の切断箇所Ｂ（図１２（ａ），図１３（ａ）参照）に巻きつけ、高速で回転走行させることにより、他方の切断箇所Ｂにおいて、流路管１が外側から切断される。このようにして流路管１を切断箇所Ａ，Ｂにおいて切断することにより、切断した短管部１ａを扉体１３の開閉経路２７上から除去することができ、扉体１３が流路管１の切断端面に干渉することはなく、扉体１３で流通口１１を正常に開閉し得る。
【００３１】
尚、他方の切断箇所Ｂを切断する場合はプーリー５３を使用する必要はない。
上記（１）〜（９）の工程により、図１に示すように、流路管１内を流れる下水Ｗ（流体）を止めることなく制水扉１０を設置することができ、流路管１の上流側から下流側への下水Ｗの供給が途絶えることはない。
【００３２】
また、上記（８）の工程で流路管１を切断するよりも前に、ゲート室２内に下水Ｗが流出していない状態で、上記（１）〜（７）の工程において、ゲート室２内に制水扉１０を設置しているため、制水扉１０を設置する際の潜水作業を無くすことができる。尚、上記（９）の工程において、下限ストッパーを調整する際に潜水作業を行う必要があるが、この潜水作業に要する時間は従来に比べて大幅に短くて済み、したがって、作業効率が改善され、コストダウンを図ることができる。
【００３３】
また、上記（４）の工程でリーマボルト２４を用いて下部の分割戸当り部材１７と上部の分割戸当り部材１８とを連結しているため、下部の分割戸当り部材１７と上部の分割戸当り部材１８との前後左右方向のずれを大幅に低減することができる。これにより、下部の分割戸当り部材１７と上部の分割戸当り部材１８との接合部分に段差が発生するのを防止することができ、扉体１３の昇降がスムーズに行える。
【００３４】
上記実施の形態では、分割戸当り部材１７，１８を開口部３からゲート室２内へ搬入し、扉体１３を開口部４からゲート室２内へ搬入しているが、分割戸当り部材１７，１８を開口部４からゲート室２内へ搬入してもよい。
【００３５】
上記実施の形態では、上記（３）の工程において、予め下部の分割案内板３２ａと下部の分割止水板３４ａとを取付けた状態で下部の分割戸当り部材１７をゲート室２内へ搬入し、上記（４）の工程において、予め上部の分割案内板３２ｂと上部の分割止水板３４ｂとを取付けた状態で上部の分割戸当り部材１８をゲート室２内へ搬入しているが、ゲート室２内で、上記各分割案内板３２ａ，３２ｂと分割止水板３４ａ，３４ｂとを分割戸当り部材１７，１８に取付けてもよい。
（実施の形態２）
以下、本発明における第２の実施の形態を図１４〜図１８に基いて説明する。
【００３６】
図１４，図１５に示すように、戸当り１２の裏面（すなわち後側壁２ｃに対向している面）には、平板状の埋設戸当り５８（固定部材の一例）が着脱自在に取付けられている。この埋設戸当り５８は、戸当り１２と同形状に形成されており、さらに、戸当り１２と同様に、下部の分割埋設戸当り５８ａ（分割固定部材の一例）と上部の分割埋設戸当り５８ｂ（分割固定部材の一例）とに分割されている。下部および上部の分割埋設戸当り５８ａ，５８ｂにはそれぞれ据付用のボルト孔５９が複数形成されている。
【００３７】
各基礎ボルト４４を戸当り１２のボルト孔４３と埋設戸当り５８のボルト孔５９とに挿通して、前後一対および中間の３個一組のナット６１〜６３を締付ける。これにより、戸当り１２が埋設戸当り５８と共に後側壁２ｃに据付けられる。
【００３８】
以下、上記のような構成の制水扉１０を既設の流路管１の途中に新規に設置する方法を説明する。
（１）
先述した実施の形態１と同様、図５に示すように、流路管１を露出させる。
（２）
先述した実施の形態１と同様、図６に示すように、ゲート室２を形成し、複数の基礎ボルト４４を後側壁２ｃに植設する。
（３）
次に、図１６に示すように、下部および上部の分割埋設戸当り５８ａ，５８ｂを開口部３からゲート室２内へ搬入し、下部および上部の分割埋設戸当り５８ａ，５８ｂの各ボルト孔５９に各基礎ボルト４４を挿通してナット６２，６３を締め込み、下部および上部の分割埋設戸当り５８ａ，５８ｂを仮止めする。これにより、埋設戸当り５８が仮組みされてゲート室２内に固定され、流路管１が埋設戸当り５８の開口部５８ｃを貫通する。
（４）
次に、先述した実施の形態１と同様、図１７（ａ）に示すように、予め下部の分割案内板３２ａと下部の分割止水板３４ａとを取付けた下部の分割戸当り部材１７を、ゲート室２内へ搬入し、受け材４９で支持して下部の分割戸当り部材１７を仮置きする。さらに、図１７（ｂ）に示すように、予め上部の分割案内板３２ｂと上部の分割止水板３４ｂとを取付けた上部の分割戸当り部材１８を、ゲート室２内へ搬入する。そして、下部の分割戸当り部材１７と上部の分割戸当り部材１８とを連結して、戸当り１２を組立てる。これにより、流路管１が戸当り１２の流通口１１を貫通するとともに、戸当り１２に左右一対の案内溝３３が形成される。
【００３９】
尚、この際、各基礎ボルト４４を下部および上部の分割戸当り部材１７，１８の各ボルト孔４３に挿通しておく。
（５）
次に、埋設戸当り５８の表面に戸当り１２の裏面を当接させ、各基礎ボルト４４にナット６１を螺合する。そして、ナット６１〜６３を回して戸当り１２と埋設戸当り５８との垂直度や微小な位置等を調整し、その後、図１８に示すように、コンクリート４７を埋設戸当り５８と後側壁２ｃとの間に打設する。これにより、戸当り１２が埋設戸当り５８と共に後側壁２ｃに据え付けられる。
（６）
次に、先述した実施の形態１と同様、予め止水板３５を取付けた扉体１３を案内溝３３内へ差し込んで戸当り１２に取付ける。
【００４０】
その後は、先述した実施の形態１の（７）〜（９）の工程と同様にして、開閉装置１４を設置し、切断装置５０を用いてゲート室２内の流路管１を切断し、下限ストッパーと上限ストッパーとを調整する。
【００４１】
上記の工程により、流路管１内を流れる下水を止めることなく制水扉１０を設置することができ、流路管１の上流側から下流側への下水（流体）の供給が途絶えることはない。
また、流路管１を切断するよりも前に、ゲート室２内に下水が流出していない状態で、ゲート室２内に制水扉１０を設置しているため、制水扉１０を設置する際の潜水作業を無くすことができる。尚、最後に、下限ストッパーを調整する際に潜水作業を行う必要があるが、この潜水作業に要する時間は従来に比べて大幅に短くて済み、したがって、作業効率が改善され、コストダウンを図ることができる。
【００４２】
上記のようにして制水扉１０を設置した後、制水扉１０を一定年数使用し、古くなった制水扉１０を新規の制水扉１０と取り替える場合、先ず、流路管１内の下水の流れを一旦停止させ、ゲート室２内の下水を抜き取る。
【００４３】
その後、開閉装置１４を扉体１３から分離し、扉体１３と案内板３２とを戸当り１２から取外してゲート室２の外部へ撤去する。その後、図１４の仮想線で示すように、各ナット６１を外して、基礎ボルト４４を戸当り１２のボルト孔４３から脱抜することにより、戸当り１２を埋設戸当り５８から取外し、さらに、リーマボルト２４とナット２５とを外して、戸当り１２を下部の分割戸当り部材１７と上部の分割戸当り部材１８とに分割し、これら分割戸当り部材１７，１８をゲート室２の外部へ搬出する。
【００４４】
これにより、埋設戸当り５８をゲート室２内に残したままで、コンクリート４７を壊すことなく、戸当り１２を容易に取外すことができるため、古い制水扉１０を簡単にゲート室２内から撤去することができる。
【００４５】
その後、上記（４）の工程と同様にして、新規の制水扉１０の下部の分割戸当り部材１７と上部の分割戸当り部材１８とをゲート室２内に搬入し、リーマボルト２４とナット２５とを用いて、下部の分割戸当り部材１７と上部の分割戸当り部材１８とを連結して戸当り１２を組立てる。次に、上記（５）の工程と同様にして、戸当り１２の各ボルト孔４３に基礎ボルト４４を挿通し、埋設戸当り５８の表面に戸当り１２の裏面を当接させ、ナット６１を締付ける。これにより、図１４の実線で示すように、新規の制水扉１０の戸当り１２が埋設戸当り５８に据え付けられる。その後、新規の扉体１３を戸当り１２に取付け、扉体１３と開閉装置１４とを連結する。これにより、古くなった制水扉１０を新規の制水扉１０に容易に取り替えることができる。
【００４６】
上記実施の形態２では、先に、上記（３）の工程において、下部および上部の分割埋設戸当り５８ａ，５８ｂをゲート室２内に設けておき、その後、（４）（５）の工程において、下部の分割戸当り部材１７を下部の分割埋設戸当り５８ａに装着し、上部の分割戸当り部材１８を上部の分割埋設戸当り５８ｂに装着しているが、予め、工場等で、下部の分割埋設戸当り５８ａを下部の分割戸当り部材１７に装着するとともに、上部の分割埋設戸当り５８ｂを上部の分割戸当り部材１８に装着しておき、現地において、上記分割埋設戸当り５８ａ，５８ｂを分割戸当り部材１７，１８と一緒にゲート室２内に設置して組立ててもよい。
（実施の形態３）
上記実施の形態１，２では、図３に示すように、戸当り１２を下部および上部の分割戸当り部材１７，１８に上下２分割しているが、本実施の形態３では、図１９に示すように、戸当り１２を、枠体１５の部分で、左右一方の分割戸当り部材６８と左右他方の分割戸当り部材６９とに左右２分割している。
【００４７】
上記一方の分割戸当り部材６８と他方の分割戸当り部材６９とは第１の接合手段２１によって着脱自在に接合されている。尚、第１の接合手段２１は、実施の形態１，２と同様に、一方の分割戸当り部材６８の上下一対の水平フレーム部６８ａ，６８ｂの先端に設けられた一方のフランジ２２と、他方の分割戸当り部材６９の上下一対の水平フレーム部６９ａ，６９ｂの先端に設けられた他方のフランジ２３と、これら左右で対向するフランジ２２，２３同士を連結するリーマボルト２４（締結部材の一例）およびナット２５（締結部材の一例）とで構成されている。
【００４８】
尚、この場合、左右両案内板３２は上下に分割する必要はない。また、一方の止水板３４は、上下一対ではなく、左右一対の分割止水板３４ａ，３４ｂに２分割されている。
次に、上記のような構成の制水扉１０を地中に埋設されている既設の流路管１の途中に新規に設置する方法を説明する。
【００４９】
上述した実施の形態１における（１）および（２）の工程と同様にして、流路管１を露出させ、基礎ボルト４４をゲート室２の後側壁２ｃに植設する。
（３）
その後、図２０に示すように、予め案内板３２と分割止水板３４ａ，３４ｂとを取付けた一方および他方の分割戸当り部材６８，６９を、ゲート室２内へ搬入し、受け材４９で支持して仮置きする。この際、ナット４５（図４参照）を螺合した基礎ボルト４４を一方および他方の分割戸当り部材６８，６９の各ボルト孔４３に挿通しておく。
（４）
次に、一方の分割戸当り部材６８の一方のフランジ２２と他方の分割戸当り部材６９の他方のフランジ２３とを接合し、各ボルト孔２６にリーマボルト２４を挿入してナット２５を締付けることにより、両方の分割戸当り部材６８，６９を連結して、戸当り１２を組立てる。これにより、流路管１が戸当り１２の流通口１１を貫通する。
【００５０】
その後、上述した実施の形態１における（５）〜（９）の工程と同じ手順を実施して、ゲート室２内に制水扉１０を設置すればよい。
上記各実施の形態では、扉体１３と戸当り１２の枠体１５とをそれぞれ四角形状に形成しているが、四角形状に限定されるものではなく、丸形状等であってもよい。
【００５１】
上記各実施の形態では、操作ハンドル４１を手動で回転することにより、扉体１３を昇降させているが、開閉装置１４に電動機を設け、電動機で扉体１３を昇降させてもよい。尚、このように電動機を用いた場合、全開位置Ｏと全閉位置Ｓとにそれぞれ位置検出用のリミットスイッチを設け、電動機が駆動して扉体１３が全開位置Ｏまで上昇した際、開側のリミットスイッチが切換えられて、電動機が停止し、また、電動機が逆駆動して扉体１３が全閉位置Ｓまで下降した際、閉側のリミットスイッチが切換えられて、電動機が停止するように構成されている。また、上記（９）の工程において、上記開側および閉側のリミットスイッチの取付け位置を調整する。
【００５２】
上記実施の形態１，２では図３に示すように戸当り１２を上下に２分割し、実施の形態３では図１９に示すように戸当り１２を左右に２分割しているが、３分割以上、例えば上下左右に４分割してもよい。
【００５３】
上記各実施の形態では、第１の接合手段２１の締結部材の一例としてリーマボルト２４を用いたが、リーマボルト２４に限定されるものではなく、普通の六角ボルト等を用いてもよい。
【００５４】
上記各実施の形態では、図１１に示すように、扉体１３を戸当り１２に取付けて制水扉１０を一通り組み付けた後、図１２に示すように、ゲート室２内の流路管１を切断しているが、扉体１３を戸当り１２に取付ける前に、上記流路管１を切断してもよい。
【００５５】
上記実施の形態１，２では、ゲート室２内に下部および上部の分割戸当り部材１７，１８を設置して戸当り１２を組立て、その後、ゲート室２内の流路管１を切断しているが、水没する下部の分割戸当り部材１７のみをゲート室２内に設置し、次に、ゲート室２内の流路管１を切断し、その後、水没しない残りの上部の分割戸当り部材１８を下部の分割戸当り部材１７に連結して、戸当り１２を組立ててもよい。
【００５６】
上記各実施の形態では、流路管１をコンクリート製の断面四角形に形成しているが、コンクリート内に鉄筋を入れてもよく、或いは、コンクリート製以外の管、例えば鉄管等であってもよい。また、断面は、四角形に限定されるものではなく、円形等であってもよい。
【００５７】
上記各実施の形態では、下水が流れる流路管１を挙げたが、下水以外の流体が流れるものであってもよい。
上記実施の形態２では埋設戸当り５８を上下に２分割したが、実施の形態３の戸当り１２と同様に、埋設戸当り５８を左右に２分割してもよい。
【図面の簡単な説明】
【００５８】
【図１】本発明の実施の形態１における制水扉を既設の流路管に設置した図であり、（ａ）は側面断面図、（ｂ）は（ａ）におけるＸ−Ｘ矢視図、（ｃ）は（ａ）におけるＹ−Ｙ矢視図である。
【図２】同、制水扉の分解斜視図である。
【図３】同、制水扉の戸当りの図であり、（ａ）は正面図、（ｂ）は接合部分の拡大斜視図である。
【図４】同、制水扉の右端部分の横断面図である。
【図５】同、制水扉を既設の流路管に設置する方法を説明する図であり、（ａ）は流路管の側面断面図、（ｂ）は（ａ）におけるＸ−Ｘ矢視図である。
【図６】同、制水扉を既設の流路管に設置する方法を説明する図であり、（ａ）はゲート室の側面断面図、（ｂ）は（ａ）におけるＸ−Ｘ矢視図である。
【図７】同、制水扉を既設の流路管に設置する方法を説明する図であり、（ａ）は下部の分割戸当り部材を設置した側面図、（ｂ）は（ａ）におけるＸ−Ｘ矢視図、（ｃ）は（ａ）におけるＹ−Ｙ矢視図である。
【図８】同、制水扉を既設の流路管に設置する方法を説明する図であり、（ａ）は上部の分割戸当り部材を設置した側面図、（ｂ）は（ａ）におけるＸ−Ｘ矢視図、（ｃ）は（ａ）におけるＹ−Ｙ矢視図である。
【図９】同、制水扉を既設の流路管に設置する方法を説明する図であり、（ａ）はコンクリートを打設した側面図、（ｂ）は（ａ）におけるＸ−Ｘ矢視図、（ｃ）は（ａ）におけるＹ−Ｙ矢視図である。
【図１０】同、制水扉を既設の流路管に設置する方法を説明する図であり、（ａ）は扉体を取付けた側面図、（ｂ）は（ａ）におけるＸ−Ｘ矢視図、（ｃ）は（ａ）におけるＹ−Ｙ矢視図である。
【図１１】同、制水扉を既設の流路管に設置する方法を説明する図であり、（ａ）は開閉装置を取付けた側面図、（ｂ）は（ａ）におけるＸ−Ｘ矢視図である。
【図１２】同、制水扉を既設の流路管に設置する方法を説明する図であり、（ａ）は流路管を切断した側面図、（ｂ）は（ａ）におけるＸ−Ｘ矢視図である。
【図１３】同、制水扉を既設の流路管に設置する方法を説明する図であり、（ａ）は流路管を切断する際に用いる切断装置の側面図、（ｂ）は（ａ）におけるＸ−Ｘ矢視図である。
【図１４】本発明の実施の形態２における制水扉の右端部分の横断面図である。
【図１５】同、制水扉の埋設戸当りの正面図である。
【図１６】同、制水扉を既設の流路管に設置する方法を説明する図であり、（ａ）は埋設戸当りを取付けた側面図、（ｂ）は（ａ）におけるＸ−Ｘ矢視図である。
【図１７】同、制水扉を既設の流路管に設置する方法を説明する図であり、（ａ）は下部の分割戸当り部材を設置した側面図、（ｂ）は上部の分割戸当り部材を設置した側面図である。
【図１８】同、制水扉を既設の流路管に設置する方法を説明する図であり、コンクリートを打設した側面図である。
【図１９】本発明の実施の形態３における制水扉の戸当りの図であり、（ａ）は正面図、（ｂ）（ｃ）は接合部分の拡大斜視図である。
【図２０】同、制水扉を既設の流路管に設置する方法を説明する図であり、（ａ）は分割戸当り部材を設置した側面図、（ｂ）は（ａ）におけるＸ−Ｘ矢視図である。
【図２１】従来の制水扉を既設の流路管に設置する方法を説明する図である。
【符号の説明】
【００５９】
１      流路管
２      ゲート室
１０    制水扉
１１    流通口
１２    戸当り
１３    扉体
１５    枠体
１７，１８    分割戸当り部材
２１    第１の接合手段
２２    一方のフランジ
２３    他方のフランジ
２４    リーマボルト（締結部材）
２５    ナット（締結部材）
２７    開閉経路
５８ａ，５８ｂ    分割埋設戸当り（分割固定部材）
６８，６９    分割戸当り部材
【図１】
0004827488.tif 000002
【図２】
0004827488.tif 000003
【図３】
0004827488.tif 000004
【図４】
0004827488.tif 000005
【図５】
0004827488.tif 000006
【図６】
0004827488.tif 000007
【図７】
0004827488.tif 000008
【図８】
0004827488.tif 000009
【図９】
0004827488.tif 000010
【図１０】
0004827488.tif 000011
【図１１】
0004827488.tif 000012
【図１２】
0004827488.tif 000013
【図１３】
0004827488.tif 000014
【図１４】
0004827488.tif 000015
【図１５】
0004827488.tif 000016
【図１６】
0004827488.tif 000017
【図１７】
0004827488.tif 000018
【図１８】
0004827488.tif 000019
【図１９】
0004827488.tif 000020
【図２０】
0004827488.tif 000021
【図２１】
0004827488.tif 000022